(57)【要約】【課題】テレビで情報及び操作インターフェースを表示するセキュリティ装置の提供。【解決手段】テレビで情報及び操作インターフェースを表示するセキュリティ装置はテレビに接続され、セキュリティコンソール、ビデオ出力ポート、リモートコントロール受信モジュール、リモートコントローラを含む。セキュリティコンソールは通信回路を介してセキュリティ管理センターに接続され、かつ複数のセンサでセキュリティ情報を取得し、操作インターフェースメニューを生成する。ビデオ出力ポートはセキュリティコンソールに設置され、テレビと接続してテレビにセキュリティ情報及び操作インターフェースメニューを表示させる。リモートコントロール受信モジュールはセキュリティコンソールに設置され、リモートコントローラが発信する制御信号を受信し、前記テレビに表示されたアイコンの選択または実行を行い、セキュリティコンソールを操作する。【選択図】図１
0003156353.tif 000002
【実用新案登録請求の範囲】
【請求項１】
テレビに接続して、テレビで情報及び操作インターフェースを表示するセキュリティ装置であって、
通信回路を介してセキュリティ管理センターに接続され、かつ複数のセンサでセキュリティ情報を取得すると共に、操作インターフェースメニューを生成する、セキュリティコンソールと、
前記セキュリティコンソールに設置され、かつ前記テレビと接続され、前記テレビに前記セキュリティ情報及びそれぞれ１つの実行機能に対応する複数のアイコンを含む前記操作インターフェースメニューを表示させるビデオ出力ポートと、
前記セキュリティコンソールに設置され、制御信号を受信するリモートコントロール受信モジュールと、
制御信号を前記リモートコントロール受信モジュールに発信し、前記テレビに表示されたアイコンを選択または実行し、前記セキュリティコンソールを操作するリモートコントローラと、を含むことを特徴とする、
テレビで情報及び操作インターフェースを表示するセキュリティ装置。
【請求項２】
前記セキュリティコンソールが少なくとも１つのリモート接続インターフェースモジュールを備え、前記セキュリティ管理センターに接続することを特徴とする、請求項１に記載のテレビで情報及び操作インターフェースを表示するセキュリティ装置。
【請求項３】
前記リモート接続インターフェースモジュールがネットワークモジュール、セキュリティ専用回線モデムモジュール、または電話モジュールのいずれかであることを特徴とする、請求項２に記載のテレビで情報及び操作インターフェースを表示するセキュリティ装置。
【請求項４】
前記操作インターフェースメニューがさらに情報表示エリアを含み、前記セキュリティコンソールが取得するネットワーク情報を表示することを特徴とする、請求項１に記載のテレビで情報及び操作インターフェースを表示するセキュリティ装置。
【請求項５】
前記リモートコントローラ上に複数のボタンが設けられ、それぞれ対応する制御コマンドを生成して前記セキュリティコンソールを制御し、前記テレビに表示されたアイコンの選択または実行を行うことを特徴とする、請求項１に記載のテレビで情報及び操作インターフェースを表示するセキュリティ装置。
【請求項６】
さらに屋外インターホンを含み、前記屋外インターホンがカメラと、チャイムボタンを含み、前記チャイムボタンが押されると、トリガ信号を前記セキュリティコンソールに発し、かつ前記カメラがキャプチャした映像を前記セキュリティコンソールに送信し、前記セキュリティコンソールにテレビの表示画面を前記カメラがキャプチャした映像に切り替えさせることを特徴とする、請求項１に記載のテレビで情報及び操作インターフェースを表示するセキュリティ装置。
【請求項７】
前記屋外インターホンがさらにマイクロホンとスピーカを含み、前記マイクロホンが取得した訪問客の声を屋内用子機と副機に送信して再生し、かつ前記スピーカで対話の内容を再生することを特徴とする、請求項６に記載のテレビで情報及び操作インターフェースを表示するセキュリティ装置。
【請求項８】
前記セキュリティコンソールがさらに電話モジュールを含み、公衆電話網を介してリモートの電話にダイヤルするために用いられ、かつ前記屋外インターホンを前記リモートの電話に転送することを特徴とする、請求項６に記載のテレビで情報及び操作インターフェースを表示するセキュリティ装置。
【請求項９】
さらに前記セキュリティコンソールに接続された屋内用子機を含み、前記屋内用子機がタッチモニタインターフェースと複数の実体のボタンを備え、前記タッチモニタインターフェースが前記セキュリティ情報及び前記操作インターフェースメニューを表示し、かつ前記タッチモニタインターフェース及び前記実体のボタンを前記テレビに表示された操作インターフェースメニューの選択または実行に用いることを特徴とする、請求項１に記載のテレビで情報及び操作インターフェースを表示するセキュリティ装置。
【請求項１０】
さらに生体信号測定装置の通信インターフェースを含み、生体信号測定装置に接続することを特徴とする、請求項１に記載のテレビで情報及び操作インターフェースを表示するセキュリティ装置。
【考案の詳細な説明】
【技術分野】
【０００１】
本考案はセキュリティ装置に関し、特に、テレビで情報及び操作インターフェースを表示するセキュリティ装置に関する。
【背景技術】
【０００２】
現有のセキュリティコンソールは一体型コンソールであり、単一の装置上にハードウェアボタン、小型ディスプレイ、セキュリティシステムの主回路板を結合している。このようなセキュリティコンソールは玄関ドアの付近など特定の場所に設置され、使用者が出かける前にセキュリティの設定を便利に行うことができるようにしている。しかしながら、使用者は出かける前にセキュリティ設定を行うほか、普段家にいるとき各種センサの状態や監視カメラ画面、セキュリティの設定、インターホンでの対話など、セキュリティ情報を把握する必要があり、このようなときセキュリティコンソールの前まで移動しなければならない。つまり、セキュリティコンソールの操作を行うとき、使用者が日常生活の主要な活動場所である居間や寝室等を離れなければならず、使用上不便である。
【０００３】
このほか、従来のセキュリティコンソールの設定は、限られたハードウェアボタンで異なるセキュリティモードを設定するとき、異なるボタンの組み合わせやボタンを押す順序を用いなければならず、設定時非常に不便である。同時に、コンソール上に結合された小型ディスプレイに表示できる情報も非常に限られており、一般の人はほとんどが自らセキュリティコンソールの設定を変更したがらず、セキュリティコンソールにその最大の効果を発揮させることができない。
【考案の概要】
【考案が解決しようとする課題】
【０００４】
上述の問題に鑑みて、本考案の目的は、セキュリティ装置の操作方式を改善し、テレビで情報及び操作インターフェースを表示するセキュリティ装置を提供することにある。
【課題を解決するための手段】
【０００５】
上述の目的を達するため、本考案のテレビで情報及び操作インターフェースを表示するセキュリティ装置は、テレビに接続され、セキュリティ装置がセキュリティコンソール、ビデオ出力ポート、リモートコントロール受信モジュール、リモートコントローラを含む。セキュリティコンソールは通信回路でセキュリティ管理センターに接続され、かつ複数のセンサでセキュリティ情報を取得し、かつ操作インターフェースメニューを生成する。ビデオ出力ポートはセキュリティコンソールに設置され、かつテレビに接続してテレビにセキュリティ情報と操作インターフェースメニューを表示させる。操作インターフェースメニューはさらに複数のアイコンを含み、それぞれ１つの実行機能に対応する。リモートコントロール受信モジュールはセキュリティコンソールに設置され、リモートコントローラが発信する制御信号を受信し、前記テレビに表示されたアイコンを選択または実行してセキュリティコンソールを操作する。
【考案の効果】
【０００６】
本考案はテレビでセキュリティコンソールのセキュリティ情報と操作インターフェースメニューを表示し、リモートコントローラでインターフェース機能メニューを選択して操作を行う。セキュリティコンソールが提供する情報をより容易に判読でき、かつ全体の操作手順を簡略化し、一般の使用者がより迅速に自らセキュリティコンソールの各種機能を設定または使用することができる。
【図面の簡単な説明】
【０００７】
【図１】本考案の実施例のシステムブロック図である。
【図２】本考案の実施例における操作インターフェースメニューの概略図である。
【図３】本考案の実施例における屋外インターホンの正面図である。
【考案を実施するための形態】
【０００８】
図１に示すように、本考案の最良の実施例のセキュリティ装置は、テレビ２００に接続され、テレビ２００で情報と操作インターフェースを表示する。セキュリティ装置はセキュリティコンソール１１０、リモートコントロール受信モジュール１２０、リモートコントローラ１３０を含む。
【０００９】
図１に示すように、セキュリティコンソール１１０はリモート接続インターフェースモジュールを備え、異なる通信プロトコルの通信回路を通してリモートのセキュリティ管理センター３００に接続し、セキュリティ関連情報をセキュリティ管理センター３００に送信するために用いられ、セキュリティ管理センター３００がセキュリティコンソール１１０の所在地のセキュリティ状態を把握できるようにする。リモート接続インターフェースモジュールはネットワークモジュール１１１と電話モジュール１１２を含み、それぞれ異なる通信回路を介してセキュリティ管理センターに接続される。そのうち、ネットワークモジュール１１１は一般のネットワークカードとすることができ、インターネットでセキュリティ管理センター３００に接続するか、セキュリティ専用回線モデムモジュールを介してセキュリティ専用回線でセキュリティ管理センター３００に接続することができる。電話モジュール１１２は公衆電話網を介してセキュリティ管理センター３００に接続する。セキュリティコンソール１１０は複数の通信回路を介してセキュリティ管理センター３００に接続し、単一の通信回路またはリモート接続インターフェースが無効でセキュリティ管理センター３００に接続できないという問題を回避する。
【００１０】
図１に示すように、セキュリティ装置はさらに複数のセンサ１４０を含み、セキュリティ情報を取得してセキュリティコンソール１１０に送信するために用いられる。各センサ１４０は光センサまたはリードスイッチを含み、そのうち、光センサは通路上に設置され、赤外線やレーザー等の検出光源が遮断されたか否かを検出し、侵入者がいるかどうかを確認する。リードスイッチは窓やドアに設置し、窓やドアが開かれたか否かを検出する。センサ１４０が取得したセキュリティ情報に侵入状態が示されると、セキュリティコンソール１１０が通信回路を介してセキュリティ管理センター３００に通報する。
【００１１】
図１と図２に示すように、セキュリティコンソール１１０は操作インターフェースメニュー４００を生成することができ、かつセキュリティコンソール１１０はさらにビデオ出力ポート１１３を含み、テレビ２００に接続してテレビ２００にセキュリティ情報と操作インターフェースメニュー４００を表示させることができる。ビデオ出力ポート１１３の規格はテレビ２００のビデオ入力規格端子の規格に合わせ、ＲＦ端子、ＡＶ端子、Ｓ端子、ＨＥＭＩ端子などを含むことができる。操作インターフェースメニュー４００は複数のアイコン４１０（ＩＣＯＮ）及び情報表示エリア４２０を含み、各アイコンがそれぞれ１つの実行機能に対応する。
【００１２】
リモートコントロール受信モジュール１２０はセキュリティコンソール１１０に設置され、制御信号の受信に用いられる。リモートコントロール受信モジュールはＩＲ、ＲＦ、ブルートゥース（登録商標）通信プロトコルなどを採用し、リモートコントローラ１３０が対応する制御信号を発信してリモートコントロール受信モジュール１２０に受信させる。リモートコントロール受信モジュール１２０はセキュリティコンソール１１０上に結合させるか、ケーブルを介してセキュリティコンソール１１０の外付けモジュールとすることができる。リモートコントローラ１３０上には複数のボタンが設けられ、それぞれ異なる制御コマンドに対応する。使用者はリモートコントローラ１３０を操作して、リモートコントローラ１３０に制御信号を無線受信モジュールに対して発射させ、対応する制御コマンドを生成してセキュリティコンソールを制御し、テレビ２００に表示されたアイコン（図２参照）を選択または実行し、セキュリティコンソール１１０を操作することができる。使用者がリモートコントローラ１３０で特定のアイコンを選択し、それを実行すると、セキュリティコンソール１１０に対応する機能を実行させることができる。情報表示エリア４２０は、セキュリティ情報、ネットワーク情報、インターホン画面、監視カメラ画面、「ようこそ」等の言葉など、各種情報の表示に用いられる。
【００１３】
このほか、セキュリティコンソール１１０は通信回路を介して外部のネットワーク情報を取得する。そのうち、セキュリティコンソール１１０はセキュリティ管理センター３００からセキュリティ管理センター３００の提供するネットワーク情報を取得したり、或いはインターネットを介してリモート端からネットワーク情報を取得したりして、テレビ２００に表示する。ネットワーク情報はニュースのリンク、気象情報などを含み、前述のネットワーク情報はＲＳＳ通信プロトコルで取得し、即時に更新を行うことができ、使用者が操作して更新情報を取得する必要はない。
【００１４】
図１と図３に示すように、セキュリティ装置はさらに屋外インターホン１５０を含み、屋外インターホン１５０はカメラ１５１、スピーカ１５２、マイクロホン１５３、チャイムボタン１５４を含む。屋外インターホン１５０のチャイムボタン１５４が押されると、トリガ信号をセキュリティコンソール１１０に発し、かつカメラ１５１がキャプチャした映像がセキュリティコンソール１１０に送信され、セキュリティコンソール１１０がテレビ２００の表示画面をカメラ１５１がキャプチャした映像に切り替える。屋内の使用者はテレビ２００で屋外インターホンの取得した映像と音声を取得することができる。マイクロホン１５３は訪問客の声を取得して屋内用子機１６０と副機に送信して再生させ、同時に屋内のインターホンの受話器またはマイクロホンで屋内の使用者の声を取得し、通信ケーブルにより屋外インターホン１５０に送信し、スピーカ１５２で内容を再生させることができる。
【００１５】
図１に示すように、セキュリティ装置はさらに屋内用子機１６０を含み、セキュリティコンソール１１０及び屋外インターホン１５０に接続される。屋内用子機１６０はタッチモニタと複数の実体のボタンを備え、タッチモニタはセキュリティコンソールからのセキュリティ情報の取得と表示、及びインターフェースメニューの操作に用いられ、その画面はテレビ２００の画面と同期させることができる。使用者はリモートコントローラ１３０でセキュリティコンソール１１０を操作できるほか、さらにタッチモニタと実体のボタンでインターフェースメニューの選択と実行の操作ができる。このほか、屋内用子機１６０はまた屋外インターホンのカメラ１５１が取得した映像の表示とマイクロホンが取得した音声の再生ができ、また屋内用子機１６０で屋外インターホン１５０と対話をすることができる。
【００１６】
セキュリティコンソール１１０の電話モジュール１１２は公衆電話網を介してリモートの電話にダイヤルし、接続することができる。使用者は電話モジュールに複数の電話番号をあらかじめ設定することができ、かつ屋内用子機には対外的にあらかじめ設定された電話番号に直接ダイヤルできるボタンを設ける。かつ、本システムは転送機能を設定でき、屋外インターホンのチャイムボタンがトリガ信号を発すると、屋外インターホン１５０をリモートの電話に転送し、使用者はリモートの電話で屋外インターホン１５０の訪問客との対話を操作できる。セキュリティコンソール１１０は音声メッセージを保存することもでき、音声メッセージは屋内用子機１６０または屋外インターホン１５０から入力し、セキュリティコンソール１１０に保存される。例えば、住人が外出するとき、屋内用子機１６０から音声メッセージを入力して屋内用子機に一時的に保存し、ネットワークを介してセキュリティコンソール１１０のメモリに保存したり、或いは訪問客がチャイムボタン１５４を押した後、音声で訪問客にメッセージを残すよう促し、セキュリティコンソール１１０に保存したりすることができる。使用者はテレビ２００または屋内用子機１６０に表示される情報からメッセージがあるか否かを確認し、かつセキュリティコンソール１１０から音声メッセージデータを取得して、テレビ２００または屋内用子機１６０で再生することができる。
【００１７】
セキュリティ装置はさらに生体信号測定装置１７０を含むことができ、セキュリティコンソール１１０は通信インターフェースを介して生体信号測定装置１７０に接続される。生体信号測定装置１７０は電子血圧計、血糖値測定器、心拍計、心電計、呼吸モニター装置などとすることができ、使用者は生体信号測定装置１７０で生理状態を測定し、現在の生理状態を知ることができる。また、生理状態のデータをセキュリティコンソール１１０に送信し、さらにネットワークを介してリモートサーバ（セキュリティ管理センター３００)に送信させ、セキュリティ管理センター３００は使用者のＩＤに基づいてセキュリティ管理センターにデータを保存することができる。使用者が過去の生理状態データを知りたい場合は、リモートコントローラ１３０でテレビ２００画面を操作し、使用者ＩＤとパスワードを入力して、セキュリティコンソール１１０から使用者ログイン要求をセキュリティ管理センター３００に対して発し、対応する使用者の生理情報データを取得して、ビデオ出力モジュール１１３からテレビ２００に出力し、生理情報データをテレビ２００上に表示することができる。
【００１８】
本考案はテレビでセキュリティコンソールのセキュリティ情報と操作インターフェースメニューを表示し、かつリモートコントローラでインターフェース機能メニューを選択し、操作を行うことができる。セキュリティコンソールが提供する情報をより容易に判読でき、かつ全体の操作手順を簡略化し、一般の使用者がより迅速に自らセキュリティコンソールの各種機能を設定または使用することができる。
【符号の説明】
【００１９】
１１０    セキュリティコンソール
１１１    ネットワークモジュール
１１２    電話モジュール
１１３    ビデオ出力ポート
１２０    リモートコントロール受信モジュール
１３０    リモートコントローラ
１４０    センサ
１５０    屋外インターホン
１５１    カメラ
１５２    スピーカ
１５３    マイクロホン
１５４    チャイムボタン
１６０    屋内用子機
１７０    生体信号測定装置
２００    テレビ
３００    セキュリティ管理センター
４００    操作インターフェースメニュー
４１０    アイコン
４２０    情報表示エリア
【図１】
0003156353.tif 000003
【図２】
0003156353.tif 000004
【図３】
0003156353.tif 000005